(57)【特許請求の範囲】
【請求項１】
可撓性のフィルムによって構成されるパウチ本体と該パウチ本体から突出する注口部を有し、該注口部を下向きにした際にパウチ本体から注口部に入り込む内容物により立体的に膨らんだ膨らみ部の先端が注口部の先端開口部手前で自己閉塞する自己閉塞パウチと、
該自己閉塞パウチを注口部を下向きにして保持するパウチ支持手段と、該パウチ支持手段によって支持されたパウチ本体の注口部近傍を押し込むことにより注口部に形成される膨らみ部先端を先端開口部まで進行させて自己閉塞を解除可能とする押込み手段と、を備えた自重ディスペンサであって、
前記押込み手段に連動して、注出時には注口部から離間し、自己閉塞時には注口部に当接して閉塞した注口部の先端部を折り曲げて自己閉塞を補助する閉塞補助手段を設けたことを特徴とする自重ディスペンサ。
【請求項２】
パウチ支持手段は、前記自己閉塞パウチを保持するパウチホルダと、該パウチホルダを所定高さに支持するパウチスタンドと、を備えていることを特徴とする請求項１に記載の自重ディスペンサ。
【請求項３】
パウチ支持手段は自己閉塞パウチを保持するパウチホルダと、該パウチホルダに設けられた壁面吸着手段と、を備えている請求項１に記載の自重ディスペンサ。
【請求項４】
押込み手段は、パウチホルダに設けられたガイド穴と通してパウチ本体を押し込むプッシュロッドを備えている請求項２または３に記載の自重ディスペンサ。
【請求項５】
プッシュロッドには、プッシュロッドを操作するための操作レバーが連結されている請求項４に記載の自重ディスペンサ。
【請求項６】
プッシュロッドはパウチホルダに設けられたガイド筒に往復移動自在に支持され、プッシュロッドの反押込み端には操作ボタンが設けられている請求項４に記載の自重ディスペンサ。
【発明の詳細な説明】
【０００１】
【発明の属する技術分野】
本発明は、自由状態で注口部が自己閉塞する自己閉塞パウチを利用し、注出時には自己閉塞を解除して自重により内容物を小出しに注出できるようにした自重ディスペンサおよびこれに用いられる自己閉塞パウチに関する。
【０００２】
【従来の技術】
従来のポンプ式ディスペンサは、シリンダ内のピストンを外部に突出するヘッド部により往復動作させることにより一定量の内容液を吐出するようになっていた。すなわち、ヘッド部によりピストンを押し込んでシリンダ室内を圧縮した後、シリンダ内のスプリングのばね力によってピストンを押し上げてシリンダ室を拡張し、吸入バルブを通じてシリンダ室内に内容液を吸入する。その後、再びヘッド部によってピストンを押し込むことにより、シリンダ室内を圧縮して吐出バルブを開き、シリンダ室内に吸入された内容液をヘッド部の吐出口から吐出させるようになっていた。
【０００３】
【発明が解決しようとする課題】
しかしながら従来のポンプ式ディスペンサは、内容物が液体に限定されてしまう。また、ポンプの構造上、バルブ用のステンレスボール、ピストンを押し上げるためのステンレスコイルスプリング、シール性向上のためのシリコンオイル等、多くの部品が使用されている上、使用開始時には、シリンダ内に内容液を所定量汲み上げるためのプライミング動作を必要とした。
また、使用時には、ポンプアップに関する力と、吸い込み用のスプリング及びピストンとシリンダ間に生じる摩擦のために、軽い操作力が得られなかった。
さらに、ポンプ式ディスペンサは硬質のボトル開口部に装着されるもので、内容液を補充する場合には、詰め替えパウチからボトルへ内容液を詰め替える必要があり、詰め替え作業に手間がかかるという問題もあった。
【０００４】
本発明は上記した従来技術の問題点を解決するためになされたもので、その目的とするところは、自己閉塞機能を有するフィルム構成の自己閉塞パウチを利用し、ポンプを用いることなく、自重により内容物を小出しに注出できるようにした全く新規な自重ディスペンサおよびこれに用いる自己閉塞パウチを提供することにある。
【０００５】
【課題を解決するための手段】
上記目的を達成するために、本発明にあっては、可撓性のフィルムによって構成されるパウチ本体と該パウチ本体から突出する注口部を有し、該注口部を下向きにした際にパウチ本体から注口部に入り込む内容物により立体的に膨らんだ膨らみ部の先端が注口部の先端開口部手前で自己閉塞する自己閉塞パウチと、該自己閉塞パウチを注口部を下向きにして保持するパウチ支持手段と、該パウチ支持手段によって支持されたパウチ本体の注口部近傍を押し込むことにより注口部に形成される膨らみ部先端を先端開口部まで進行させて自己閉塞を解除可能とする押込み手段と、を備えた自重ディスペンサであって、前記押込み手段に連動して、注出時には注口部から離間し、自己閉塞時には注口部に当接して閉塞した注口部の先端部を折り曲げて自己閉塞を補助する閉塞補助手段を設けたことを特徴とする。
【０００６】
パウチ支持手段は、前記自己閉塞パウチを保持するパウチホルダと、該パウチホルダを所定高さに支持するパウチスタンドと、を備えていることが好ましい。
また、パウチ支持手段は自己閉塞パウチを保持するパウチホルダと、該パウチホルダに設けられた壁面吸着手段と、を備えた構成としてもよい。
【０００７】
押込み手段は、パウチホルダに設けられたガイド穴と通してパウチ本体を押し込むプッシュロッドを備えていることが好ましい。
プッシュロッドには、プッシュロッドを操作するための操作レバーが連結されていることが好ましい。
また、プッシュロッドはパウチホルダに設けられたガイド筒に往復移動自在に支持され、プッシュロッドの反押込み端には操作ボタンが設けられた構成としてもよい。
【０００８】
この閉塞補助手段を押込み手段のプッシュロッドの動きに連動させる連動手段を設けることが好適である。
【０００９】
【発明の実施の形態】
以下に本発明を図示の実施の形態に基づいて説明する。
図１乃至図３は、本発明の実施の形態に係る自重ディスペンサを示している。
すなわち、この自重ディスペンサ１は、自己閉塞機能を有する自己閉塞パウチ１０と、自己閉塞パウチ１０を支持するパウチ支持手段としてのパウチ支持装置２０と、パウチ支持装置２０によって支持されたパウチ本体１０Ａを押し込んで内容物を注出する押込み手段としての押込み機構３０とを備えている。内容物としては、液体だけでなく、粉体，粒状物等の各種形態の内容物について対応可能である。
【００１０】
自己閉塞パウチ１０は、図３に示すように、表裏一対の可撓性のフィルム１１，１１によって構成されるパウチ本体１０Ａから突出する所定長さの注口部１５を有している。パウチ本体１０Ａは表裏一対のフィルム１１を張り合わせた平面構成の袋体で、四角形状の胴部１２と、胴部１２上端につながる台形状の肩部１３とを備え、注口部１５は肩部１３の上端から延びている。胴部１２下端および胴部１２の左右側辺は底部シール部１２ａおよび平行のサイドシール部１２ｂ，１２ｂにて熱溶着され、肩部１３斜辺は斜辺シール部１３ａにて熱溶着され、注口部１５の左右側辺は平行の注口シール部１５ａにてシールされている。
注口部１５を下向きにした際には、内容物がパウチ本体１０Ａから注口部１５に流入し、この内容物により注口部１５を構成するフィルムが立体的に膨らみ、この膨らみ部１６の先端が注口部１５の先端開口部である注出口１４手前で自己閉塞する構成となっている。
【００１１】
パウチ支持装置２０は、自己閉塞パウチ１０を保持するパウチホルダ２３と、パウチホルダ２３を所定高さに支持するパウチスタンド２０Ａとから構成されている。パウチスタンド２０Ａは、ベース台２１と、ベース台２１上に立設されるピラー２２とから構成され、このピラー２２の上端にパウチホルダ２３が固定されている。
パウチホルダ２３はパウチ台２４とパウチカバー２５とから構成される。
パウチ台２４は水平面に対して斜めに支持されるもので、図３に示すように、内容物が充填されて立体形状に膨らんだ自己閉塞パウチ１０の下面側の断面形状に倣った凹部２６を備えている。凹部２６は、注口部１５がはまり込む注口部嵌合部２６ａと、肩部１３がはまり込む肩部嵌合部２６ｂと、胴部１２が嵌合する胴部嵌合部２６ｃとを備え、自己閉塞パウチを位置決めする。
【００１２】
このパウチ台２４によるパウチ支持領域は、パウチ１０の注口部１５から肩部１３および胴部１２の中途位置までの範囲としており、胴部１２の底部領域はパウチホルダ２３から後方に突出している。このようにすれば、長さの異なるパウチについても対応可能である。また、注口部１５の先端は、パウチ台２４よりも一部前方に突出し、注出される内容物がパウチ台２４に接触しないように設定されている。
パウチカバー２５についても、特に図示しないが、自己閉塞パウチ１０の上面側の断面形状に倣った凹部を備えており、パウチ台２４とパウチカバー２５によって、自己閉塞パウチ１０は確実に位置決め保持される。
【００１３】
パウチ台２４に載置された自己閉塞パウチ１０の注口部１５は、内容物が進入して膨らんで立体形状となるが、この膨らみ部１６の形状は付け根位置が最大高さとなり、先端に向けて徐々に高さが低くなると共に左右の幅も徐々に狭くなって、注口部１５の中途位置で閉塞して自己閉塞している。
この膨らみ部１６は大面積のパウチ本体１０の膨らみ形状から局部的に突出する形状であり、パウチ本体１０の形状に影響を受ける。すなわち、膨らみ部１６はパウチ本体１０Ａ側から稜線が連続しており、パウチ本体１０Ａの注口部１５近傍には、プッシュロッド等を用いて押し込むことにより注口部１５に形成される膨らみ部１６先端を注出口１４先端まで進行させて自己閉塞を防止する自己閉塞防止点Ｒが存在することが分かった。
自己閉塞防止点Ｒは、内容物の種類、性状、パウチの面剛性、内圧等によって変動するものであるが、条件が定まれば一定の領域となるので、実験的に予め求めておけばよい。また、自己閉塞防止点Ｒは、一点のみではなく一定の拡がりを有する。
【００１４】
本発明は、このパウチの自己閉塞防止点Ｒ近傍を押込み機構３０によって押し込むことによって、注出口１４の自己閉塞を解除して内容物を自重によって注出するものである。
押込み機構３０は、押さえ部材としてのプッシュロッド３１と、このプッシュロッド３１を操作するための操作レバー３２と、を備えている。
図示例では、プッシュロッド３１の先端は、自己閉塞防止点Ｒに対応してパウチ台２４に設けられたガイド孔３３に下方から挿入され、下端が操作レバー３２の作用端に連結されている。プッシュロッド３１の先端はピラー２２に対して前方に位置し、後端はピラー２２に対して後方に位置するもので、ピラー２２にはプッシュロッド３１が差し通される挿通穴３４が設けられている。
【００１５】
操作レバー３２はパウチ台２４とベース台２１の間に配置され、支軸３５を介してピラー２２に上下方向に回動可能に支持されており、操作レバー３２の後端がプッシュロッド３１の下端が連結される作用端となり、前端が操作部となる。
また、パウチ台２４には、押込み手段に連動して、注出時には注口部１５から離間し、自己閉塞時には注口部１５に当接して閉塞した注口部１５の先端部を折り曲げて自己閉塞を補助する閉塞補助手段としての閉塞補助機構４０が設けられている。
この閉塞補助機構４０は押込み機構３０のプッシュロッド３１の動きに連動し、プッシュロッド３１が押し動作（自己閉塞解除時）する際には注口部１５から離れ、プッシュロッド３１が自己閉塞パウチ１０から離間動作する際には注口部１５に接して上方に押し上げて自己閉塞機能を補助する。
【００１６】
図示例では、この閉塞補助機構４０は、パウチ台２４に支軸４１を介して回転自在に連結されるくちばし状の補助レバー４２と、プッシュロッド３１の往復運動を補助レバー４２の回転運動に変換するリンク４３とから構成されている。リンク４３には長孔４３ａを設け、この長孔４３ａにプッシュロッド３１に設けられたガイド軸４３ｂが移動自在に支持されている。
次に、上記構成の自重ディスペンサの動作について説明する。
操作レバー３２を下に押すと、図２（Ｂ）に示すように、プッシュロッド３１が押し上げられ、プッシュロッド３１上端によって自己閉塞パウチ１０の閉塞防止点Ｒが押され、自己閉塞状態を解除する。自己閉塞解除と同時に閉塞補助機構４０の補助レバー４２が注口部１５から下方に離間し、注出口１４より内容物が吐出する。
操作レバー３２を離すと、図２（Ａ）に示すように、内容物の圧力およびパウチの弾力性によってプッシュロッド３１が押し戻されて注出口１４の膨らみ部１６の先端はパウチ本体との付け根側に後退し、パウチは再び自己閉塞を起こして注出口１４が閉じ、吐出が止まる。同時に、閉塞補助機構４０の補助レバー４２が下方から注口部１５を押し上げ、自己閉塞によるシールを補助する。
プッシュロッド３１の戻りを確実にするために、戻りスプリング３７を設けてもよい。戻りスプリング３７の位置としては、図示するように操作レバー３２に設けてもよいし、図示しないが、プッシュロッド３１を引き戻すように設けてもよいし、連動する閉塞補助機構４０にばね力が作用する構成としてもよい。
【００１７】
【発明の効果】
以上説明したように、本請求項１に記載の発明によれば、自己閉塞パウチを用い、内容物の注出時にはパウチ本体の注口部近傍を押し込むことにより注口部に形成される膨らみ部先端を先端開口部まで進行させて自己閉塞を解除し、自重により所定量の内容物を注出する構成となっているので、内容物としては液体のみならず、粉体、粒状体など、種々の形態の内容物のディスペンサとして広く利用できる。
また、従来のポンプ式ディスペンサのような、ピストン，ばね，バルブ用のボール等が不要となり、さらに、内容液を汲み上げるプライミング動作も不要である。
【００１８】
また、バルブ機能はパウチ自体の自己閉塞機能を利用するので、内容物がパウチ以外には触れることが無く、パウチ支持手段や押込み手段は汚れない。
さらに、内容物が無くなれば、新たな自己閉塞パウチをパウチ支持手段に付け替えるだけよく、内容物の交換作業がきわめて簡単である。
特に、押込み手段に連動して、注出時には注口部から離間し、自己閉塞時には注口部に当接して閉塞した注口部の先端部を折り曲げて自己閉塞を補助する閉塞補助手段を設けたので、シールが確実になる。
【００１９】
請求項２に記載の発明によれば、パウチ支持手段は、パウチホルダと、パウチホルダを所定高さに支持するパウチスタンドと、を備えた構成としたので、必要な場所に置くだけでよく便利である。
請求項３に記載の発明によれば、パウチ支持手段は自己閉塞パウチを保持するパウチホルダと、該パウチホルダに設けられる壁面吸着手段とを備える構成としたので、壁面を利用して設置することができる。
請求項４に記載の発明によれば、パウチホルダに設けられたガイド穴と通してパウチ本体を押し込むプッシュロッドを備えた構成となっているので、常にパウチ本体上の最適な位置を押し込むことができる。
【００２０】
請求項５に記載の発明によれば、プッシュロッドには、プッシュロッドを操作するための操作レバーが連結された構成となっているので、レバー操作で簡単に操作できる。
請求項６に記載の発明によれば、プッシュロッドはパウチホルダに設けられたガイド筒に往復移動自在に支持され、プッシュロッドの反押込み端には操作ボタンが設けられた構成となっているので、注出操作は操作ボタンを押し込むだけでよく、簡単に操作できる。
【図面の簡単な説明】
【図１】図１は本発明の実施の形態に係る自重ディスペンサを示すもので、同図（Ａ）は斜視図、同図（Ｂ），（Ｃ）は同図（Ａ）の自己閉塞パウチの注口部の閉塞状態及び注出状態の部分斜視図である。
【図２】図２（Ａ），（Ｂ）は図１の自重ディスペンサの閉塞状態及び注出状態の概略側面図である。
【図３】図３は図１の自重ディスペンサの自己閉塞パウチとパウチ台の分解斜視図である。
【符号の説明】
１ 自重ディスペンサ、
１０ 自己閉塞パウチ、
１０Ａ パウチ本体、１５ 注口部、１６ 膨らみ部、Ｒ 自己閉塞防止点、
２０ パウチ支持装置、
２０Ａ パウチスタンド、２１ ベース台、２２ ピラー、２３ パウチホルダ、
２４ パウチ台、２５ パウチカバー、
３０ 押込み機構、
３１ プッシュロッド、３２ 操作レバー、３３ ガイド孔、３４ 挿通穴、
４０ 閉塞補助機構、
４１ 支軸、４２ 補助レバー、４３ リンク、４３ａ 長孔
【図１】
0004120242.tif 000002
【図２】
0004120242.tif 000003
【図３】
0004120242.tif 000004